(57)【要約】      （修正有）【課題】ホルダーがハンドル操作の邪魔にならないようにし、スマートフォンを見やすくし、スマートフォンが落下するおそれがないハンドカートを提供する。【解決手段】キャスターと支柱４とハンドル６とを備え、スマートフォンを保持するホルダー１０が設けられたハンドカートであるショッピングカートにおいて、ホルダー１０は、ショッピングカートの支柱４に取着されて上方へ延びるスタンド１１と、スタンド１１の上部の取付部１４に対して固定された、スマートフォンを保持するホルダー本体２０とを含む。ホルダー本体２０は、ホルダー本体２０の傾斜角度を調節してからホルダー本体２０を傾動不能に固定する機能を有する調節固定機構３０により、スタンド１１に固定されている。取付部１４の中心は、ハンドル６の上端よりも５０〜３００ｍｍ高いことが好ましい。【選択図】図２
0003231209.tif 000002
【実用新案登録請求の範囲】
【請求項１】
キャスターと支柱とハンドルとを備え、スマートフォンを保持するホルダーが設けられたハンドカートにおいて、
ホルダー（１０）は、ハンドカート（１，４１）の支柱（４，４４）に取着されて上方へ延びるスタンド（１１）と、スタンド（１１）の上部の取付部（１４）に対して固定された、スマートフォン（Ｓ）を保持するホルダー本体（２０）とを含み、
ホルダー本体（２０）は、ホルダー本体（２０）の傾斜角度を調節してからホルダー本体（２０）を傾動不能に固定する機能を有する調節固定機構（３０）により、スタンド（１１）に固定されていることを特徴とするハンドカート。
【請求項２】
取付部（１４）の中心は、ハンドカート（１，４１）のハンドル（６，４６）の上端よりも５０〜３００ｍｍ高い請求項１記載のハンドカート。
【請求項３】
調節固定機構（３０）は、ホルダー本体（２０）の穴（２６）を有する被取付部（２５）と、スタンド（１１）の雌ねじ（１５）を有する取付部（１４）と、被取付部（２５）と取付部（１４）との間に介在されたウェッジロックワッシャー（３１）と、穴（２６）及びウェッジロックワッシャー（３１）を通って雌ねじ（１５）に螺着されたボルト（３２）とを含む請求項１又は２記載のハンドカート。
【考案の詳細な説明】
【技術分野】
【０００１】
本考案は、物品を載せて手で押して動かす、ショッピングカート、ピッキングカート、台車その他の各種ハンドカートに関するものである。
【背景技術】
【０００２】
近年、スマートフォンを保持するホルダーを備えたショッピングカートが提案されている。
【０００３】
特許文献１には、取付台とピボットジョイントとを備えたホルダーが開示されている。取付台は、ピボットジョイントにより、ショッピングカートのプッシュハンドルに寄り掛かっている時の定位置と、プッシュハンドルから離れて伸びる保持位置との間で旋回することができる。
【０００４】
特許文献２には、携帯端末保持部とカート取付部とを有するホルダーが開示されている。携帯端末保持部は、形状の異なる携帯端末を保持する機能を有し、カート取付部は、ショッピングカートに対して着脱可能な機能を有している。
【先行技術文献】
【特許文献】
【０００５】
【特許文献１】特表２０１４−５３４１０７号公報
【特許文献２】特開２０１７−１０９６８７号公報
【考案の概要】
【考案が解決しようとする課題】
【０００６】
しかし、特許文献１のホルダーは、ピボットジョイントがプッシュハンドルに取り付けられるため、ピボットジョイントがハンドル操作の邪魔になる。また、ホルダーの位置が低いため、スマートフォンを見づらいことがある。また、保持位置にあるときの取付台の傾斜角度が予め決まっていて、調節することができない。また、取付台は、保持位置から定位置へ旋回する構造のため、取付台に手や腕が当たったときに、取付台が旋回して、スマートフォンが落下するおそれがある。そこで、その旋回を遮断するための遮断機構が別途必要になり、構造が複雑になる。
【０００７】
また、特許文献２のホルダーも、カート取付部がプッシュハンドルに取り付けられるため、カート取付部がハンドル操作の邪魔になる。また、ホルダーの位置が低いため、スマートフォンを見づらいことがある。また、カート取付部と携帯端末保持部との連結部は、携帯端末保持部の向きを変えることが可能であることが望ましいと記載され、一方で携帯端末のタッチ操作程度の力が加わった場合では回転等せずにホールドされるように、ボール状の連結構造等、一定以上の力を加えることで稼働が可能な構造の連結部とすると記載されている。このような連結部では、やはり携帯端末保持部に手や腕が当たったときに、携帯端末保持部が回転等して、スマートフォンが落下するおそれがある。
【０００８】
そこで、本考案の目的は、ホルダーがハンドル操作の邪魔にならないようにし、スマートフォンを見やすくし、スマートフォンが落下するおそれをなくすことにある。
【課題を解決するための手段】
【０００９】
本考案は、キャスターと支柱とハンドルとを備え、スマートフォンを保持するホルダーが設けられたハンドカートにおいて、
ホルダーは、ハンドカートの支柱に取着されて上方へ延びるスタンドと、スタンドの上部の取付部に対して固定された、スマートフォンを保持するホルダー本体とを含み、
ホルダー本体は、ホルダー本体の傾斜角度を調節してからホルダー本体を傾動不能に固定する機能を有する調節固定機構により、スタンドに固定されていることを特徴とする。
【００１０】
ここで、取付部の中心は、ハンドカートのハンドルの上端よりも５０〜３００ｍｍ高いことが好ましい。
【００１１】
調節固定機構としては、ホルダー本体の穴を有する被取付部と、スタンドの雌ねじを有する取付部と、被取付部と取付部との間に介在されたウェッジロックワッシャーと、穴及びウェッジロックワッシャーを通って雌ねじに螺着されたボルトとを含むものを例示できる。
【００１２】
＜作用＞
ホルダーは、ハンドカートの（ハンドルではなく）支柱に取着されて上方へ延びるスタンドと、スタンドの上部の取付部に対して固定されたホルダー本体とを含むため、スタンドがハンドル操作の邪魔にならず、また、スタンドによりホルダー本体の位置が高くなり、スマートフォンも位置が高くなって見やすい。
【００１３】
また、ホルダー本体は、ホルダー本体の傾斜角度を調節してからホルダー本体を傾動不能に固定する機能を有する調節固定機構により、スタンドに固定されているため、次の２つの作用を奏する。
【００１４】
第１に、ハンドカートによって支柱の傾斜角度は様々であり、従って支柱に取着されるスタンドの傾斜角度も様々となるが、スタンドに固定されるホルダー本体は調節固定機構により適切な傾斜角度に調節してから固定されるため、スマートフォンも適切な傾斜角度になって見やすい。
【００１５】
第２に、固定後はホルダー本体が調節固定機構により傾動不能になるため、ホルダー本体に手や腕が当たったときでも、ホルダー本体は傾動せず、スマートフォンも傾動しないから落下しない。
【考案の効果】
【００１６】
本考案のハンドカートによれば、ホルダーがハンドル操作の邪魔にならない、スマートフォンの位置が高くなって見やすい、支柱の傾斜角度によらずスマートフォンを適切な傾斜角度にできて見やすい、ホルダーに手や腕が当たってもスマートフォンが落下するおそれがない、という優れた効果を奏する。
【図面の簡単な説明】
【００１７】
【図１】図１は実施例１のショッピングカートを示し、（ａ）は左側面図、（ｂ）は背面図である。
【図２】図２は同ショッピングカートを示し、（ａ）は要部分解斜視図、（ｂ）は要部斜視図、（ｃ）は図１のＩＩｃ−ＩＩｃ断面図である。
【図３】図３（ａ）は同ショッピングカートの部分左側面図、（ｂ）は実施例２のショッピングカートの部分左側面図である。
【図４】図４は実施例３の台車の左側面図である。
【考案を実施するための形態】
【００１８】
１．スタンド
スタンドは、ハンドカートの支柱に取着されて上方へ延びるものであれば、特定の構造や形状に限定されない。
【００１９】
２．ホルダー本体
ホルダー本体は、スマートフォンを保持するものであれば、特定の構造や形状に限定されない。
【００２０】
３．調節固定機構
調節固定機構は、ホルダー本体の傾斜角度を調節してからホルダー本体を傾動不能に固定する機能を有するものであれば、特定の構造や形状に限定されない。ここで、「ホルダー本体を傾動不能に固定する」とは、ホルダー本体に手や腕が当たっても傾動しないように固定することを意味し、そのように固定していれば、例えばハンドカートが倒れてホルダー本体が床に叩きつけられる等の異常に大きな衝撃力によってホルダー本体が傾動したとしても、「ホルダー本体を傾動不能に固定する」に含まれる。
調節固定機構が上記のようにウェッジロックワッシャーを含む場合、ウェッジロックワッシャーとして例えばノルトロック社の商品名「ノルトロックワッシャー」を使用できる。
【００２１】
４．ハンドカート
ハンドカートとしては、キャスターと支柱とハンドルとを備えるものであれば特に限定されず、ショッピングカート、ピッキングカート（物流現場や図書室などでピッキングした物品や書籍などを載せるカート）、台車等を例示でききる。
ホルダー以外のハンドカートの構成は、特定の構造や形状に限定されない。
【実施例】
【００２２】
次に、本考案の実施例について、図面を参照して説明する。但し、説明する各部の構造、形状、数値等は例示であり、考案の要旨を逸脱しない範囲で適宜変更できる。
【００２３】
［実施例１］
図１〜図３（ａ）に示す実施例１は、本考案をショッピングカート１に具体化したものである。このショッピングカート１は、キャスター２を備えた基枠３と、基枠３から上方へ延びる左右の支柱４と、左右の支柱４の上端から延びるハンドル６と、基枠３に固定された下段のカゴ載せ部８と、左右の支柱４に固定された上段のカゴ載せ部９と、一方の支柱４に取着された、スマートフォンＳを保持するホルダー１０とを含み構成されている。
【００２４】
左右の支柱４はそれぞれ、複数の曲げ箇所で曲げ加工された金属パイプよりなる。一番上の曲げ箇所で斜め後方へ曲げられて上端まで延びる支柱上部５の、鉛直線からの傾斜角度は４７°である。
【００２５】
ハンドル６は、左右の支柱４に連続する金属パイプからなり、左右の支柱４の各上端部で内側へ曲げ加工されて水平に延びている。図示例のハンドル６は、左右方向に連続するものであるが、左右方向の中央部で分断されたものでもよい。金属パイプには樹脂グリップ７が被せられている。
【００２６】
ホルダー１０は、支柱４に取着されて上方へ延びるスタンド１１と、スタンド１１の上部の取付部１４に対して固定された、スマートフォンＳを保持するホルダー本体２０とを含み、ホルダー本体２０は、ホルダー本体２０の傾斜角度を調節してからホルダー本体２０を傾動不能に固定する機能を有する調節固定機構３０により、スタンド１１に固定されている。
【００２７】
スタンド１１は、上下２つの曲げ箇所で曲げ加工された金属パイプからなり、１３３度に曲げられた下の曲げ箇所よりも下の被取着部１２と、該曲げ箇所から上方へ延びる起立部１３と、内側へ９０度に曲げられた上の曲げ箇所から水平に延びる取付部１４とから構成されている。
【００２８】
スタンド１１の被取着部１２が、支柱上部５の上に平行に配されるとともに、締付具１６により支柱上部５に締付けられて動かないように取着されている。これにより、スタンド１１の起立部１３が、ほぼ垂立している。スタンド１１の取付部１４の端には雌ねじ１５が横向きに固定され、取付部１４及び雌ねじ１５の中心はハンドル６の上端よりも５０〜３００ｍｍ高い位置にある。
【００２９】
ホルダー本体２０は、スマートフォンＳの背面を受ける背面受け部２１と、背面受け部２１の下端から曲げられてスマートフォンＳの底面を受ける底面受け部２２と、底面受け部２２の端から上方へ曲げられてスマートフォンＳの正面側を規制する返し部２３と、背面受け部２１の両側端から曲げられてスマートフォンＳの側方を規制する側板部２４と、背面受け部２１の背側へ突出する被取付部２５とから構成されている。被取付部２５には左右に抜ける穴２６が形成されている。
【００３０】
調節固定機構３０は、ホルダー本体２０の穴２６を有する被取付部２５と、スタンド１１の雌ねじ１５を有する取付部１４と、被取付部２５と取付部１４との間に介在されたウェッジロックワッシャー３１（例えば上記ノルトロックワッシャー）と、穴２６及びウェッジロックワッシャー３１を通って雌ねじ１５に螺着されたボルト３２とを含み構成されている。
【００３１】
スタンド１１の取付部１４に対してホルダー本体２０を固定する際には、調節固定機構３０により、ホルダー本体２０の傾斜角度を調節してからホルダー本体２０を傾動不能に固定する。すなわち、図２（ａ）に示すように、被取付部２５と取付部１４との間にウェッジロックワッシャー３１を介在させ、ボルト３２を穴２６及びウェッジロックワッシャー３１に通して雌ねじ１５に螺着させるが、その螺着の途中でホルダー本体の傾斜角度を調節してから、図２（ｂ）（ｃ）に示すように、該調節した状態でボルト３２を雌ねじ１５に締付ける。ホルダー本体２０の背面受け部２１の鉛直線からの傾斜角度は、ショッピングカート１の高さ等に応じて、カートを押す者からスマートフォンＳが見やすくなる適切な角度に適宜決めることができ、図３（ａ）に示す例では３８°である。
【００３２】
ボルト３２を雌ねじ１５に締付けた後は、その締付力とウェッジロックワッシャー３１の緩み防止作用により、ホルダー本体２０が傾動不能に固定される。
【００３３】
［実施例２］
図３（ｂ）に示す実施例２のショッピングカート１は、左右の支柱４において、一番上の曲げ箇所で曲げられて上端まで延びる支柱上部５の、鉛直線からの傾斜角度が３１°であり、これにより支柱上部５に取着されたスタンド１１の起立部１３が実施例１と比べて１６°前傾する点において、実施例１と相違するものである。
【００３４】
実施例１と同じく、スタンド１１の取付部１４に対してホルダー本体２０を固定する際には、調節固定機構３０により、ホルダー本体２０の傾斜角度を調節してからホルダー本体２０を傾動不能に固定する。ホルダー本体２０の鉛直線からの傾斜角度は、カートを押す者からスマートフォンＳが見やすくなる適切な角度に適宜決めることができ、図３（ｂ）に示す例では実施例１と同じく３８°である。
【００３５】
以上のように構成された実施例１，２のショッピングカート１は、次の作用効果を奏する。
（１）ホルダー１０は、ショッピングカート１の（ハンドル６ではなく）支柱４に取着されて上方へ延びるスタンド１１と、スタンド１１の上部の取付部１４に対して固定されたホルダー本体２０とを含むため、スタンド１１がハンドル操作の邪魔にならず、また、スタンド１１によりホルダー本体２０の位置が高くなり、スマートフォンＳも位置が高くなって見やすい。
【００３６】
（２）また、ホルダー本体２０は、ホルダー本体２０の傾斜角度を調節してからホルダー本体２０を傾動不能に固定する機能を有する調節固定機構３０により、スタンド１１に固定されているため、次の２つの作用効果を奏する。
【００３７】
（ア）第１に、実施例１と実施例２の相違から分かるようにショッピングカート１によって支柱４の傾斜角度は様々であり、従って支柱４に取着されるスタンド１１の傾斜角度も様々となるが、スタンド１１に固定されるホルダー本体２０は調節固定機構３０により適切な傾斜角度に調節してから固定されるため、スマートフォンＳも適切な傾斜角度になって見やすい。
【００３８】
（イ）第２に、固定後はホルダー本体２０が調節固定機構３０により傾動不能になるため、ホルダー本体２０に手や腕が当たったときでも、ホルダー本体２０は傾動せず、スマートフォンＳも傾動しないから落下しない。
【００３９】
［実施例３］
図４に示す実施例３は、本考案を台車４１に具体化したものである。この台車４１は、キャスター４２を備えた台板４３と、台板４３から上方へ延びる左右の支柱４４と、左右の支柱４４の上端から水平（図面垂直方向）に延びるハンドル４６と、一方の支柱４４の傾斜した支柱上部４５に取着された、スマートフォンＳを保持するホルダー１０とを含み構成されている。ホルダー１０及び調節固定機構３０の構成や取付構造は、実施例１，２と同様である。よって、実施例３においても実施例１，２と同様の作用効果が得られる。
【００４０】
また、実施例３のほかにも、本考案を上述したピッキングカートその他の各種ハンドカートに具体化することができ、該ハンドカートにおいても実施例１〜３と同様の作用効果が得られる。
【００４１】
なお、本考案は前記実施例の構成に限定されるものではなく、考案の要旨から逸脱しない範囲で、適宜変更して具体化することもできる。
【符号の説明】
【００４２】
１    ショッピングカート
２    キャスター
３    基枠
４    支柱
５    支柱上部
６    ハンドル
１０    ホルダー
１１    スタンド
１２    被取着部
１３    起立部
１４    取付部
１６    締付具
２０    ホルダー本体
２１    背面受け部
２２    底面受け部
２３    返し部
２４    側板部
２５    被取付部
２６    穴
３０    調節固定機構
３１    ウェッジロックワッシャー
３２    ボルト
４１    台車
４２    キャスター
４３    台板
４４    支柱
４５    支柱上部
４６    ハンドル
Ｓ    スマートフォン
【図１】
0003231209.tif 000003
【図２】
0003231209.tif 000004
【図３】
0003231209.tif 000005
【図４】
0003231209.tif 000006